(57)【特許請求の範囲】
【請求項１】
磁気保持型ラッチングリレーをマトリクス状に配置して構成されるマトリクスリレーにおいて、マトリクス状に位置するように一枚の磁性材からなる金属ベース上に複数の鉄芯を一体形成してこれら鉄芯を各磁気保持型ラッチングリレーの電磁石部の鉄芯としたものであって、同一行の各磁気保持型ラッチングリレーの可動マチュアを同一の支持体に支持させて可動アマチュアブロックを構成するとともに各可動アマチュアに付設した可動接点を電気的に共通接続した可動接点端子を可動アマチュアブロックに備えたことを特徴するマトリクスリレー。
【請求項２】
隣接する鉄芯間に相互磁気干渉防止用の磁気抵抗増大手段を設けたことを特徴とする請求項１記載のマトリクスリレー。
【請求項３】
磁気抵抗増大手段として鉄芯の周囲の金属ベースにスリットを形成したことを特徴とする請求項２記載のマトリクスリレー。
【請求項４】
同一列に位置する磁気保持型ラッチングリレーの磁気保持用の永久磁石を共通の永久磁石で構成したことを特徴とする請求項１記載のマトリクスリレー。
【請求項５】
電磁石部の励磁時に磁束を通す磁気シャントを永久磁石と一体的に配置したことを特徴とする請求項４記載のマトリクスリレー。
【請求項６】
各鉄芯に挿着する励磁コイルブロックの位置決め手段を金属ベースに形成したことを特徴とする請求項１記載のマトリクスリレー。
【請求項７】
各列の永久磁石及び磁気シャントに対応して設けられて夫々を位置決め固定する一つのハウジングに各列の磁気保持型ラッチングリレーの可動接点と開閉する固定接点を付設しこれら固定接点を電気的に共通接続した固定接続端子を備えたことを特徴とする請求項５記載のマトリクスリレー。
【請求項８】
磁気保持型ラッチングリレーの可動アマチュアをヒンジばね部介して揺動自在に支持体に支持したことを特徴とする請求項４記載のマトリクスリレー。
【発明の詳細な説明】
【０００１】
【産業上の利用分野】
本発明は、マトリクス状に複数の磁気保持型ラッチングリレーを配置したマトリクスリレーに関するものである。
【０００２】
【従来の技術】
従来、電話交換機に用いるマトリクスリレーとしては図１３に示すように小型の磁気保持型ラッチングリレーＲＹをマトリクス状にプリント基板Ｐ上に配置して構成したものがある。
【０００３】
【発明が解決しようとする課題】
図１３に示す従来例は、個別に完成したラッチングリレーＲＹを用いるため、夫々のラッチングリレーＲＹにおいてベース、励磁コイル、永久磁石、磁気シャント、固定接点端子、可動接点端子を個々の部品として必要とし、当然これらの部品はマトリクススイッチを構成するラッチングリレーの個数分だけ必要であるから全体としての部品数が多くなり、またこれらラッチングリレーを配置して構成されるマトリクスリレー全体の大きさも大きくなるという問題があった。更に個別にラッチングリレーを個々の部品を用いて組み立てる必要があるから組み立て性も悪いという問題があった。
【０００４】
本発明は上記問題点に鑑みて為されたもので、請求項１の発明の目的は個々のラッチングリレーの鉄芯をマトリクスリレー全体からみて一つの部品として扱え、部品点数の削減と組み立て性の向上を図り、且つ個々のラッチングリレーの可動接点、可動アマチュアを複数分、一つの部品集合体として扱えて部品点数の一層の削減と、組み立て性の向上が図れ、しかも同一行方向のラッチングリレーの可動接点の接続回路を特に配線する必要が無いマトリクスリレーを提供するにある。
請求項２、３の発明の目的とするところは、請求項１の発明の目的に加えて、鉄芯間の距離を小さくすることができて、マトリクススイッチ全体の小型化が容易なマトリクスリレーを提供するにある。
【０００５】
請求項４の発明の目的とするところは請求項１の発明の目的に加えて、永久磁石を複数のラッチングリレーにおいて共通化できて部品点数の削減と組み立て性の一層の向上が図れるマトリクスリレーを提供するにある。
請求項５の発明の目的とするところは、請求項４の目的に加えて個々のラッチングリレーの電磁石部の吸引力の向上が図れたマトリクスリレーを提供するにある。
【０００７】
請求項６の発明の目的とするところは、請求項１の発明の目的に加えて励磁コイルの取付け位置決めが容易となって組み立て性の一層の向上が図れるマトリクスリレーを提供するにある。
請求項７の発明の目的とするところは、請求項５の発明の目的に加えて複数のラッチングリレーのハウジングを複数分を共通化するとともに磁気シャント、永久磁石の位置決め固定する手段を別個に設ける必要を無くして、部品点数の一層の削減と、組み立て性の向上が図れ、しかも同一列方向のラッチングリレーの固定接点の接続回路を特に配線する必要が無いマトリクスリレーを提供するにある。
【０００８】
請求項８の発明の目的とするところは、請求項４の発明の目的に加えて、個々のラッチングリレーにおいて可動アマチュアの吸引感度をヒンジばねの変形により調整できるマトリクスリレーを提供するにある。
【０００９】
【課題を解決するための手段】
上記目的を達成するために、請求項１の発明では磁気保持型ラッチングリレーをマトリクス状に配置して構成されるマトリクスリレーにおいて、マトリクス状に位置するように一枚の磁性材からなる金属ベース上に複数の鉄芯を一体形成してこれら鉄芯を各磁気保持型ラッチングリレーの電磁石部の鉄芯としたものであって、同一行の各磁気保持型ラッチングリレーの可動マチュアを同一の支持体に支持させて可動アマチュアブロックを構成するとともに各可動アマチュアに付設した可動接点を電気的に共通接続した可動接点端子を可動アマチュアブロックに備えたことを特徴とする。
【００１０】
請求項２の発明では請求項１の発明において、隣接する鉄芯間に相互磁気干渉防止用の磁気抵抗増大手段を設けたものである。
請求項３の発明では請求項２の発明において、磁気抵抗増大手段として鉄芯の周囲の金属ベースにスリットを形成したものである。
請求項４の発明では請求項１の発明において、同一列に位置する磁気保持型ラッチングリレーの磁気保持用の永久磁石を共通の永久磁石で構成したものである。
【００１１】
請求項５の発明では請求項４の発明において、電磁石部の励磁時に磁束を通す磁気シャントを永久磁石と一体的に配置したものである。
【００１２】
請求項６の発明では請求項１の発明において、各鉄芯に挿着する励磁コイルブロックの位置決め手段を金属ベースに形成したものである。
請求項７の発明では請求項５の発明において、各列の永久磁石及び磁気シャントに対応して設けられて夫々を位置決め固定する一つのハウジングに各列の磁気保持型ラッチングリレーの可動接点と開閉する固定接点を付設し、これら固定接点を電気的に共通接続した固定接続端子を備えたものである。
【００１３】
請求項８の発明では、請求項４の発明において、磁気保持型ラッチングリレーの可動アマチュアをヒンジばね部を介して揺動自在に支持体に支持したものである。
【００１４】
【作用】
請求項１の発明によれば、磁気保持型ラッチングリレーをマトリクス状に配置して構成されるマトリクスリレーにおいて、マトリクス状に位置するように一枚の磁性材からなる金属ベース上に複数の鉄芯を一体形成してこれら鉄芯を各磁気保持型ラッチングリレーの電磁石部の鉄芯としているから、個々のラッチングリレーの電磁石部の鉄芯を共通の金属ベースにより全体として一つの部品として扱え、そのため個々の部品として扱う場合に比べてマトリスクリレー全体の部品点数を少なくすることができ、また部品削減により組み立て性の向上が図れる。また同一行の各磁気保持型ラッチングリレーの可動マチュアを同一の支持体に支持させて可動アマチュアブロックを構成するとともに各可動アマチュアに付設した可動接点を電気的に共通接続した可動接点端子を可動アマチュアブロックに備えたものであるから、同一行方向の複数のラッチングリレーに対する可動アマチュアや可動接点が全体として一つの部品となるため部品点数の削減は勿論のこと、組み込みが一度に行えて組み立て性が向上し、しかも同一行方向の可動接点を接続する接続回路をプリント基板等に別に設ける必要も無い。
【００１５】
請求項２の発明によれば、請求項１の発明において、隣接する鉄芯間に相互磁気干渉防止用の磁気抵抗増大手段を設けたものであるから、鉄芯間の磁気干渉を防止することができる。
特に請求項３の発明によれば、請求項２の発明において、磁気抵抗増大手段として鉄芯の周囲の金属ベースにスリットを形成したものであるから、部品点数を増加させることなく磁気抵抗増大手段を設けることができ、そのため組み立て性を損なうこともない。
【００１６】
請求項４の発明によれば、請求項１の発明において、同一列に位置する磁気保持型ラッチングリレーの磁気保持用の永久磁石を共通の永久磁石で構成したものであるから、個々のラッチングリレーに対応して永久磁石を準備して組込む必要がないから、部品点数の削減は勿論のこと組み立て性も向上する。
請求項５の発明によれば、請求項４の発明において、電磁石部の励磁時に磁束を通す磁気シャントを永久磁石と一体的に配置したものであるから、励磁コイルによる鉄芯励磁時に磁気シャントに磁束を通すことができて磁力アップが図れ、励磁電流を小さくすることができる。
【００１８】
請求項６の発明によれば、請求項１の発明において、各鉄芯に挿着する励磁コイルブロックの位置決め手段を金属ベースに形成したものであるから、励磁コイルブロックの組み込みが容易となる。
請求項７の発明によれば、請求項５の発明において、各列の永久磁石及び磁気シャントに対応して設けられて夫々を位置決め固定する一つのハウジングに各列の磁気保持型ラッチングリレーの可動接点と開閉する固定接点を付設し、これらの固定接点を電気的に共通接続した固定接続端子を備えたものであるから、同一列の複数のラッチングリレーのハウジングを一つの部品として扱えるとともに、永久磁石、磁気シャントの位置決め手段を別に設けることなくこれらの部材の位置決め固定ができ、更に同一列のラッチングリレーの固定接点がハウジングに付設されることにより、個々のラッチングリレーの固定接点の配設等も不要となり、部品点数の削減と組み立て性の一層の向上が図れ、しかも同一列方向の固定接点を接続する接続回路をプリン基板等に別に設ける必要も無い。
【００１９】
請求項８の発明によれば、請求項４の発明において、磁気保持型ラッチングリレーの可動アマチュアをヒンジばね部を介して揺動自在に支持体に支持したものであるから、個々のラッチングリレーにおいてヒンジばねの変形により可動アマチュアの吸引力調整が行える。
【００２０】
【実施例】
以下、本発明の実施例を図面を参照して説明する。
（実施例１）
本実施例のマトリクススイッチは、図１に示すように電磁軟鉄からなる一枚の金属ベース１に図１に示すようにマトリクス状に配列された複数の鉄芯２を鍛造加工によって一体形成し、これら各鉄芯２に鉄芯２とともに磁気保持型ラッチングリレー（以下ラッチングリレーと略す）の電磁石部を構成する励磁コイルブロック３を挿着してある。
【００２１】
励磁コイルブロック３は図４に示すように絶縁樹脂材からなるコイルボビン４とこのコイルボビン４に巻装した励磁コイル５とで構成され、金属ベース１側のコイルボビン４の鍔部４ａの両側下面よりコイルボイン４と一体形成した突起部６を金属ベース１の各鉄芯２の両側に形成した位置決め用孔２７，２７に嵌合して位置決めされて金属ベース１上に配置される。
【００２２】
励磁コイル５に電気的に接続されたコイル端子７、７は上記鍔部４ａ、突起部６にインサートされ突起部６の先端より下方に向けて突出しており、このコイル端子７、７は金属ベース３の裏面側に配置されるプリント基板１９の取付孔８、８に挿入してプリント基板７裏面に形成してある回路パターンに半田付けＸされる。
【００２３】
これら電磁石部とともに、ラッチングリレーの磁気回路を構成する永久磁石９及び磁気シャント１０は、横一列に配置される複数のラッチングリレーに対して共通部品として使用され、永久磁石９は上下端が夫々異なる磁極に着磁された板状のものでその横幅寸法が略金属ベース１の横幅に近い寸法に形成され、上端面には横一列に配置される各ラッチングリレーの可動アマチュア１１に夫々対応するように複数の磁極面部９ａを上方に突出させてある。磁気シャント１０は横幅寸法を永久磁石９の横幅寸法に略等しく形成してあって対応する鉄芯列側に面する永久磁石９の片側面に一体的に密着永久磁石９とともに金属ベース１上に配置される。
【００２４】
上記のように構成された横一列の各ラッチングリレーの電磁石部は合成樹脂により成形されたハウジング１２内に隔壁１２ａで仕切られて夫々の電磁石部に対応するように形成された上下貫通の収納部１３内に収納され、また永久磁石９及び磁気シャント１０は図４に示すようにハウジング１２の外周壁の長辺側壁１２ｂ内に形成した下面開口の凹部１４に収納される。
【００２５】
つまりハウジング１２は外形が直方体状に形成されたもので、外周壁に囲まれた内部には隔壁１２ａで等間隔に仕切って、上下開口の収納部１３を各電磁石部に対応するように形成し、外周壁の一方の長辺側壁１２ｂ内には下面が開口した凹部１４を上記外周壁の両側の短辺側壁１２ｅ，１２ｅ間に至るように形成しており、金属ベース１上にハウジング１２を載置する際に横一列に配置された各電磁石部を夫々に対応した収納部１３内に下面開口より収納するとともに、凹部１４の下面開口より永久磁石９及び磁気シャント１０を収めるのである。
【００２６】
ここで凹部１４には永久磁石９の磁極面部９ａを長辺側壁１２ｂの上面に露出させる孔１４ａを図５に示すように設けてあり、上記のように永久磁石９及び磁気シャント１０を凹部１４に収納したときにこの孔１４ａより永久磁石９の磁極面部９ａを外部に露出させる。
ハウジング１２は上記外周壁の他方の長辺側壁１２ｃに間隔を開けて並行するように図２、図４に示す如く収納部１３側に内壁１２ｄを形成するとともに、収納部１３の両側の仕切り壁となる隔壁１２ａ，１２ａ間或いは隔壁１２ａと短辺側壁１２ｅ間の略中央位置において、２枚の壁１２ｃ，１２ｄに直交するように立壁１２ｆを一体形成し、この立壁１２ｆの下面に図３に示すように一体突設している突起１５を金属ベース１に形成してある固定用孔１６に圧入してハウジング１２に対して位置決めして且つ固定されるようになっている。この固定用孔１６に接着剤を流し込んで突起１５を接着剤により固定するようにしても良い。
【００２７】
また各収納部１３の立壁１２ｆの両側の壁１２ｃ、１２ｄの上端間には壁１２ｃ，１２ｄ内に同時成形により夫々インサートされている導電材１７ａ，１７ｂから分岐せる分岐枝の先端部に形成した固定接点部１８ａ、１８ｂを夫々を露設配置している。導電材１７ａ、１７ｂは同一横列の各ラッチングリレーにおいて共通な部材であって、各収納部１３に配置される固定接点部１８ａ同士、１８ｂ同士を共通接続し、一端部を一方の短辺側壁１２ａの外面より露出させて下向けに延長しその延長部で図５に示すように固定接点端子２０ａ，２０ｂを形成し、この固定接点端子２０ａ，２０ｂをプリント基板１９の孔２１、２１を介してプリント基板１９の裏面側に貫通させる。
【００２８】
このようにして金属ベース１上の各横列の電磁石部とこれら電磁石部に対応する永久磁石８及び磁気シャント７に対応するように各横列毎にハウジング１２を金属ベース１に配置することにより、各ラッチングリレーの電磁石部、永久磁石８及び磁気シャント７を収納するとともに固定接点部１８ａ，１８ｂを配置した収納部１３がマトリクス状に配置されることになる。
【００２９】
ラッチングリレーの可動アマチュア１１は並行配置された可動接点ばね板２２，２２間に並行配置され、合成樹脂により形成された成形体２３に同時成形によってインサートされてブロック化され、さらにこれらのブロックは行方向に配置されるラッチングリレーに夫々対応する個数分行方向に配置される。各ブロックの両側可動接点ばね板２２ａ，２２ｂを夫々の外側において並行配置される導電板２４，２４にヒンジばね部２６，２６を介して一体になっている。これら導電板２４．２４は各可動接点ばね板２２、２２を電気的に共通接続するとともに、可動接点ばね板２２，２２を介して上記可動アマチュア１１を含めたブロックを支持する支持体となっており、各ブロックの可動接点ばね板２２、２２、可動アマチュア１１及びヒンジばね部２６，２６により可動アマチュアブロック２５が構成される。
【００３０】
ここでヒンジばね部２６は図６に示すように可動アマチュア１１の揺動軸線Ｍと平行に可動接点ばね板２２の端部から引き出された引出し部２６ａと、この引出し部２６ａの端部より略Ｕ状に延長されて引出し部２６ａに平面に対して略垂直に折り曲げられたＵ字状部２６ｂと、このＵ字状部２６ａの一端より延長して引出し部２６ａに対して平行し且つＵ字状部２６ａに対して略垂直な片とこの片の先端より引出し部２６ａに対して直角に屈曲した片とからなりその片の先端を導電板２４に一体連結した連結部２６ｃとで構成されている。
【００３１】
上述のように構成された可動アマチュアブロック２５は、金属ベース１上にマトリクス状に配置された収納部１３のうち、行方向に配置された収納部１３…に亘るように上方から配置されるもので、両側の導電板２４，２４を各収納部１３の仕切壁を構成する隔壁１２ａ又は短辺側壁１２ｅに形成した溝２８に圧入することにより各壁１２ａ又は１２ｅの上面に載置固定される。導電板２４，２４の一端より金属ベース１側に直角に一体延長して形成した可動接点端子３３、３３は金属ベース１の一端部側に配置されているハウジング１２の長辺側壁１１ｃに並行するように配置して金属ベース１の端部より外側に露出しているプリント基板１９に形成してある孔３４、３４を介して図４に示すようにプリント基板１９裏面の配線パターン側に貫通させる。
【００３２】
可動アマチュアブロック２５を上述のように配置固定した状態では、各収納部１３に対応する可動アマチュア１１はその一端に一体突出させてある突起１１ａがヒンジばね部２６のばね力により立壁１２ｆの上端より一体突設してあるストッパ３１の下面に当たって上方の動きが規制され、また他端下面に形成してある半球状支点部３２が長辺側壁１ｂの上面より露出している永久磁石８の磁極面部８ａに当接して支点部３２を中心として揺動自在となる。
【００３３】
また可動アマチュア１１の両側の可動接点ばね板２２，２２は先端下面に設けた可動接点２９，２９が固定接点部１８ａ，１８ｂの上面に設けてある固定接点３０，３０に対向することになる。
このようにして各行毎に可動アマチュアブロック２５を配置固定することにより、各ハウジング１２の各収納部１３において永久磁石８による磁気保持型のラッチングリレーが構成され、全体としてはマトリクス状に配置されたラッチングリレーによりマトリクスリレーが構成される。
【００３４】
図７は上述のように構成された本実施例のマトリクスリレーのスイッチ回路を示しており、図において破線で囲まれた部分が個々のラッチングリレーを示し、行、列の交点に位置するスイッチは夫々のラッチングリレーの可動接点２９と、固定接点３０とで構成される。
尚各隔壁１２ａの上端面の溝２８は隣接配置される二つの可動アマチュアブロック２５の導電板２４，２４に対応するように平行に２条形成してある。
【００３５】
次に本実施例に用いられるラッチングリレーの動作を図８（ａ）（ｂ）を用いて説明する。
まず図８（ａ）の状態ではヒンジばね部２６のばね力により可動アマチュア１１が支点部３２を中心として一端部が上方向に回動するような力を受けた状態にあって、可動接点ばね板２２に設けた可動接点３３が図示するように固定接点３０より開離してスイッチオフとなっている。
【００３６】
この状態で励磁コイル５に可動アマチュア１１を鉄芯２方向に吸引する方向に励磁電流を流して鉄芯２を励磁すると、鉄芯１１、可動アマチュア１１、磁気シャント１０、金属ベース１、鉄芯１１の閉磁路が形成されて磁束が流れ、可動アマチュア１１は支点部３２を中心として揺動し、一端部が鉄芯２に吸引される。そのため図８（ｂ）に示すように可動接点ばね板２２の可動接点２９が固定接点部１８の固定接点３０に弾接してスイッチオンとなる。この状態では永久磁石９、金属ベース１、鉄芯１１、可動アマチュア１１、永久磁石９の閉磁路が形成されるため、励磁コイル５に流していた励磁電流を遮断しても可動アマチュア１１の鉄芯２への吸引状態は永久磁石９の磁力により保持され、スイッチオン状態が維持される。尚上記鉄芯１１の励磁時に磁気シャント１０に磁束が流れるため、可動アマチュア１１を吸引する力を磁気シャント１０が無い場合に比べてアップすることができる。
【００３７】
図８（ａ）の状態で励磁コイル５に永久磁石９の付勢方向とは逆方向の電流を流すと、鉄芯１１は永久磁石９の磁力を打ち消す方向に励磁される。そのため可動アマチュア１１は可動接点ばね板２２及びヒンジばね部２６の復帰力で支点部３２を中心として揺動し、図８（ａ）の状態に戻る。このとき可動アマチュア１１の突起１１ａが立壁１２ｆに設けてあるストッパ３１に当たって上方向の動きが規制される。このストッパ３１による規制によって衝撃が加わっても可動アマチュア１１の上方への動きを抑止し耐振性を向上させている。
【００３８】
このようにしてマトリクス状に配置している各ラッチングリレーの励磁コイル５に流す電流の方向を制御することにより図７に示す行列の交点に位置するスイッチをオン／オフすることができることになる。
尚各ラッチングリレーの可動アマチュア１１の吸引力調整は、ヒンジばね部２６のＵ字状部２６ａを保持してヒンジばね部２６を変形さることにより行えるようになっている。またこのヒンジばね部２６の図６に示す形状によりヒンジばね部２６への応力集中を緩和している。
【００３９】
ところで上記図１では鉄芯２、位置決め用孔２７、固定用孔１６は両端の２列分のみを図示し、他の分については省略してあるが、本実施例では実際には９列×８行分に相当するものが形成されている。またハウジング１２及び可動アマチュアブロック２５も夫々１列、１行分のみで他を省略してあるが、当然上記の９列分のハウジング１２と、８行分の可動アマチュアブロック２５が準備される。また行及び列当たりのラッチングリレーの数は実施例に特に限定されるものではなく、そのラッチングリレー数に応じたハウジング１２と、可動アマチュアブロック２５と、金属ベース１と、プリント基板１９を準備すれば良い。
【００４０】
（実施例２）
本実施例は図９、図１０に示すように金属ベース１に一体に突設した鉄芯１の周囲の金属ベース１にスリット３５を形成したものを使用している点で実施例１と相違する。このスリット３５は磁気抵抗増大手段を構成し、隣接する鉄芯１との間の磁気干渉を防ぐ。
【００４１】
このようにすることにより、鉄芯１間の距離を小さくすることができて、マトリクスリレー全体の小型化に寄与することができる。尚各個のラッチングリレーの構造は実施例１に準ずるため、個々のラッチングリレーの構造についての説明は省略する。
（実施例３）
上記各実施例１，２では磁気シャント１０を金属ベース１とは別体の部品で構成しているが、本実施例はこの磁気シャント１０を図１１に示すように金属ベース１に鉄芯２と同様に一体に形成してある。
【００４２】
尚磁気シャント１０の構成以外は実施例１に準ずるものであるか、個々のラッチングリレーの構造についての説明は省略する。また本実施例においても実施例２の上記磁気抵抗増大手段であるスリット３５を鉄芯２の周囲の金属ベース１に形成しても良い。
（実施例４）
上記各実施例１〜３は磁気シャント１０を設けた構成となっているが、この磁気シャント１０を特に設けなくても基本的な動作には問題はない。そこで本実施例ではこの磁気シャント１０を無くし且つ永久磁石９の磁力を制御するために、図１２に示すように永久磁石９の高さ寸法を変えるようにしている。尚永久磁石９を載置する台座３６を金属ベース１より一体突出して形成し、この台座３６の高さにより永久磁石９の磁極面部９ａの高さ位置を一定に設定している。また磁気シャント１０を設けないためハウジング１２の凹部１４に断面形状は収納する永久磁石９に対応させている。
【００４３】
【発明の効果】
請求項１の発明は、磁気保持型ラッチングリレーをマトリクス状に配置して構成されるマトリクスリレーにおいて、マトリクス状に位置するように一枚の磁性材からなる金属ベース上に複数の鉄芯を一体形成してこれら鉄芯を各磁気保持型ラッチングリレーの電磁石部の鉄芯としているから、個々のラッチングリレーの電磁石部の鉄芯を共通の金属ベースにより全体として一つの部品として扱え、そのため個々の部品として扱う場合に比べてマトリスクリレー全体の部品点数を少なくすることができ、また部品削減により組み立て性の向上が図れるという効果がある。
また同一行の各磁気保持型ラッチングリレーの可動マチュアを同一の支持体に支持させて可動アマチュアブロックを構成するとともに各可動アマチュアに付設した可動接点を電気的に共通接続した可動接点端子を可動アマチュアブロックに備えたものであるから、同一行方向の複数のラッチングリレーに対する可動アマチュアや可動接点が全体として一つの部品となるため部品点数の削減は勿論のこと、組み込みが一度に行えて組み立て性が向上し、しかも同一行方向の可動接点を接続する接続回路をプリント基板等に別に設ける必要も無いという効果がある。
【００４４】
請求項２の発明は、請求項１の発明において、隣接する鉄芯間に相互磁気干渉防止用の磁気抵抗増大手段を設けたものであるから、鉄芯間の磁気干渉を防止することができ、そのため鉄芯間の距離を小さくすることができて、マトリクススイッチ全体の小型化が容易に行えるという効果がある。
特に請求項３の発明は、請求項２の発明において、磁気抵抗増大手段として鉄芯の周囲の金属ベースにスリットを形成したものであるから、部品点数を増加させることなく磁気抵抗増大手段を設けることができ、そのため組み立て性を損なうこともないという効果がある。
【００４５】
請求項４の発明は、請求項１の発明において、同一列に位置する磁気保持型ラッチングリレーの磁気保持用の永久磁石を共通の永久磁石で構成したものであるから、個々のラッチングリレーに対応して永久磁石を準備して組込む必要がないから、部品点数の削減は勿論のこと組み立て性も向上するという効果がある。
請求項５の発明は、請求項４の発明において、電磁石部の励磁時に磁束を通す磁気シャントを永久磁石と一体的に配置したものであるから、励磁コイルによる鉄芯励磁時に磁気シャントに磁束を通すことができて磁力アップが図れ、励磁電流を小さくすることができるという効果がある。
【００４７】
請求項６の発明は、請求項１の発明において、各鉄芯に挿着する励磁コイルブロックの位置決め手段を金属ベースに形成したものであるから、励磁コイルブロックの組み込みが容易となるという効果がある。
請求項７の発明は、請求項５の発明において、各列の永久磁石及び磁気シャントに対応して設けられて夫々を位置決め固定する一つのハウジングに各列の磁気保持型ラッチングリレーの可動接点と開閉する固定接点を付設し、これらの固定接点を電気的に共通接続した固定接続端子を備えたものであるから、同一列の複数のラッチングリレーのハウジングを一つの部品として扱えるとともに、永久磁石、磁気シャントの位置決め手段を別に設けることなくこれらの部材の位置決め固定ができ、更に同一列のラッチングリレーの固定接点がハウジングに付設されることにより、個々のラッチングリレーの固定接点の配設等も不要となり、部品点数の削減と組み立て性の一層の向上が図れ、しかも同一列方向の固定接点を接続する接続回路をプリン基板等に別に設ける必要も無いという効果がある。
【００４８】
請求項８の発明は、請求項４の発明において、磁気保持型ラッチングリレーの可動アマチュアをヒンジばね部を介して揺動自在に支持体に支持したものであるから、個々のラッチングリレーにおいてヒンジばねの変形により可動アマチュアの吸引力調整が行えるという効果がある。
【図面の簡単な説明】
【図１】本発明の実施例１の一部省略した分解斜視図である。
【図２】同上の一部省略した拡大上面図である。
【図３】同上の図２のＡ−Ａ断面図である。
【図４】同上の図２のＢ−Ｂ断面図である。
【図５】同上の図２のＣ−Ｃ断面図である。
【図６】同上のヒンジばね部の一部省略した拡大斜視図である。
【図７】同上のスイッチ回路の接続図である。
【図８】同上のラッチングリレーの動作説明図である。
【図９】本発明の実施例２の一部省略した分解斜視図である。
【図１０】同上の要部の拡大断面図である。
【図１１】本発明の実施例３の要部の拡大断面図である。
【図１２】本発明の実施例４の要部の拡大断面図である。
【図１３】従来例の一つのラッチングリレーを外した状態を示す斜視図である。
【符号の説明】
１      金属ベース
２      鉄芯
３      励磁コイルブロック
９      永久磁石
１０    磁気シャント
１１    可動アマチュア
１２    ハウジング
１３    収納部
１８    固定接点部
２２    可動接点ばね板
２５    可動アマチュアブロック
【図１】
0003689125.tif 000002
【図２】
0003689125.tif 000003
【図３】
0003689125.tif 000004
【図４】
0003689125.tif 000005
【図５】
0003689125.tif 000006
【図６】
0003689125.tif 000007
【図７】
0003689125.tif 000008
【図８】
0003689125.tif 000009
【図９】
0003689125.tif 000010
【図１０】
0003689125.tif 000011
【図１１】
0003689125.tif 000012
【図１２】
0003689125.tif 000013
【図１３】
0003689125.tif 000014